(57)【要約】【課題】データリンクコネクタの使用を不能とすることで、データの書き換えを防止して、車両の盗難を防止若しくは少しても遅らせる。【解決手段】データリンクコネクタ１１を備えた電子的なキー照合システムＢを保護する保護装置Ａであって、両本体に取り付けられた一方の疑似データリンクコネクタ１ａと、データリンクコネクタ１１に接続された他方の疑似データリンクコネクタ１ｂと、一方の疑似データリンクコネクタ１ａと他方の疑似データリンクコネクタ１ｂとを接続する信号線２ａ，２ｂと、信号線２ａ，２ｂの接続をオン、オフ制御する制御部３と、制御部３にスイッチ用コネクタ４ａ，４ｂを介して脱着自在に接続され、信号線２ａ，２ｂの接続のオン、オフの操作信号を制御部３に入力する操作スイッチ５と、を備えて構成されている。【選択図】図１
2014102901.tif 000002
【特許請求の範囲】
【請求項１】
データリンクコネクタを備えた電子的なキー照合システムを保護する保護装置であって、
一方の疑似データリンクコネクタと、
前記データリンクコネクタに接続された他方の疑似データリンクコネクタと、
前記一方の疑似データリンクコネクタと前記他方の疑似データリンクコネクタとを接続する信号線と、
前記信号線の接続をオン、オフ制御する制御部と、
前記制御部に接続された一方のスイッチ用コネクタと、
前記一方のスイッチ用コネクタと着脱自在に設けられた他方のスイッチ用コネクタと、
前記他方のスイッチ用コネクタに接続され、前記信号線の接続のオン、オフの操作信号を前記制御部に入力する操作スイッチと、を備えたことを特徴とする保護装置。
【請求項２】
請求項１に記載の保護装置であって、
前記一方の疑似データリンクコネクタ及び前記一方のスイッチ用コネクタは、前記車両本体に取り付けられていることを特徴とする保護装置。
【請求項３】
請求項１または請求項２に記載の保護装置であって、
前記一方のスイッチ用コネクタと前記他方のスイッチ用コネクタとは、特有の嵌合構造とされていることを特徴とする保護装置。
【請求項４】
請求項１から請求項３までのいずれか１項に記載の保護装置であって、
前記制御部は、前記操作スイッチが特有の操作をされたときのみ、前記信号線の接続をオンすることを特徴とする保護装置。
【発明の詳細な説明】
【技術分野】
【０００１】
本発明は、データリンクコネクタを備えた電子的なキー照合システムを保護する保護装置に係り、より詳細には、キー照合システムが不正解除されることを防止する保護装置に関する。
【背景技術】
【０００２】
近年、電子キーに埋め込まれているＩＤコードと車両本体内に登録されているＩＤコードとを照合して一致した場合にのみエンジンを始動させるキー照合システム（例えば、イモビライザー装置）が種々提案されている（例えば、特許文献１〜３等参照）。このキー照合システムによれば、専用のキー以外ではエンジンの始動ができないことから、自動車の盗難防止システムとして有効である。
【０００３】
しかし、近年、この照合システムが不正解除されるケースが増えている。
【０００４】
その一つの理由として、上記キー照合システムには、例えばメンテナンス時等に制御部から車両のデータを取得するための接続端子であるデータリンクコネクタが、例えばインストルメントパネル等に取り付けられている。車両の盗難に際しては、このデータリンクコネクタに不正な機器を接続して内部のデータを書き換えて、別のキーでエンジンが始動できるようにしている。
【先行技術文献】
【特許文献】
【０００５】
【特許文献１】特開２０１１−２１００３７号公報
【特許文献２】特開２０１０−２５０７４６号公報
【特許文献３】特開２０１０−１２０４２１号公報
【発明の概要】
【発明が解決しようとする課題】
【０００６】
すなわち、データリンクコネクタがインストルメントパネル等に取り付けられていることが、車両盗難の一つの要因となっている。
【０００７】
本発明はかかる実情に鑑みて創案されたもので、その目的は、データリンクコネクタの使用を不能とすることで、データの書き換えを防止して、車両の盗難を防止若しくは少しても遅らせることのできるキー照合システムの保護装置を提供することにある。
【課題を解決するための手段】
【０００８】
上記課題を解決するため、本発明の保護装置は、データリンクコネクタを備えた電子的なキー照合システムを保護する保護装置であって、一方の疑似データリンクコネクタと、前記データリンクコネクタに接続された他方の疑似データリンクコネクタと、前記一方の疑似データリンクコネクタと前記他方の疑似データリンクコネクタとを接続する信号線と、前記信号線の接続をオン、オフ制御する制御部と、前記制御部に接続された一方のスイッチ用コネクタと、前記一方のスイッチ用コネクタと着脱自在に設けられた他方のスイッチ用コネクタと、前記他方のスイッチ用コネクタに接続され、前記信号線の接続のオン、オフの操作信号を前記制御部に入力する操作スイッチと、を備えた構成としている。
【０００９】
この構成によれば、操作スイッチを一方のスイッチ用コネクタから取り外して別途保管しておくことで、仮に一方のスイッチ用コネクタの取り付け場所と一方の疑似データリンクコネクタの取り付け場所とが発見されたとしても、一方の疑似データリンクコネクタと他方の疑似データリンクコネクタとは接続されていないので、一方の疑似データリンクコネクタに不正な機器を接続しても、正規のデータリンクコネクタには接続できない。従って、キー照合システムの内部データの改竄等による不正解除を防止することができる。
【００１０】
また、本発明の保護装置では、前記一方の疑似データリンクコネクタ及び前記一方のスイッチ用コネクタは、前記車両本体に取り付けられている。この構成によれば、一方のスイッチ用コネクタを車両本体に取り付けることで、第三者に発見される可能性は高くなるが、発見されたとしても、操作スイッチが無ければ信号線の接続をオンすることができない。つまり、一方の疑似データリンクコネクタに不正な機器を接続しても、正規のデータリンクコネクタには接続できないので、キー照合システムの内部データの改竄等による不正解除を防止することができる。
【００１１】
また、本発明の保護装置では、前記一方のスイッチ用コネクタと前記他方のスイッチ用コネクタとは、特有の嵌合構造としてもよい。特有の嵌合構造とすることで、例えば操作スイッチを第三者が別途用意していたとしても、一方のスイッチ用コネクタには嵌合できないので、信号線の接続をオンすることができない。つまり、一方の疑似データリンクコネクタに不正な機器を接続しても、正規のデータリンクコネクタには接続できないので、キー照合システムの内部データの改竄等による不正解除を防止することができる。
【００１２】
また、本発明の保護装置では、前記制御部は、前記操作スイッチが特有の操作をされたときのみ、前記信号線の接続をオンする構成としてもよい。
【００１３】
この構成によれば、仮に第三者が正規の操作スイッチを入手して接続したとしても、単にオン操作するだけでは信号線の接続をオンすることができない。つまり、一方の疑似データリンクコネクタに不正な機器を接続しても、正規のデータリンクコネクタには接続できないので、キー照合システムの内部データの改竄等による不正解除を防止することができる。
【発明の効果】
【００１４】
本発明は上記のように構成したので、一方のスイッチ用コネクタの取り付け場所と一方の疑似データリンクコネクタの取り付け場所とが発見されたとしても、操作スイッチが無ければ信号線の接続をオンすることができないので、正規のデータリンクコネクタへの不正な機器の接続を防止することができる。従って、キー照合システムの内部データの改竄等による不正解除を防止することができる。
【図面の簡単な説明】
【００１５】
【図１】本発明の実施形態に係る保護装置の接続構成図である。
【図２】（ａ）〜（ｃ）は、スイッチ用コネクタの嵌合構造の一例を示す斜視図である。
【図３】操作スイッチの斜視図である。
【発明を実施するための形態】
【００１６】
以下、本発明の実施の形態について、図面を参照して説明する。
【００１７】
本発明の実施形態に係る保護装置は、電子キーに埋め込まれているＩＤコードと車両本体内に登録されているＩＤコードとを照合して一致した場合にのみエンジンを始動させる、データリンクコネクタを備えたキー照合システム（例えば、イモビライザー装置）の不正解除を防止する装置である。
【００１８】
図１は、本発明の実施形態に係る保護装置の接続構成図である。
【００１９】
本実施形態に係る保護装置Ａは、車両本体に取り付けられる一方の疑似データリンクコネクタ１ａと、車内に搭載されているキー照合システムＢの正規のデータリンクコネクタ１１に接続された他方の疑似データリンクコネクタ１ｂと、一方の疑似データリンクコネクタ１ａと他方の疑似データリンクコネクタ１ｂとを接続する信号線２（２ａ，２ｂ）と、信号線２ａ，２ｂの接続をオン、オフ制御する制御部３と、制御部３に接続された一方のスイッチ用コネクタ４ａと、一方のスイッチ用コネクタ４ａと着脱自在に設けられた他方のスイッチ用コネクタ４ｂと、他方のスイッチ用コネクタ４ｂに接続され、信号線２ａ，２ｂの接続のオン、オフの操作信号を制御部３に入力する操作スイッチ５と、を備えて構成されている。一方の疑似データリンクコネクタ１ａは、正規のデータリンクコネクタ１１が取り付けられていた場所（例えば、インストルメントパネル等）に取り付ける。従って、第三者は、そのデータリンクコネクタが正規のデータリンクコネクタであるのか疑似データリンクコネクタであるのかを外観で見分けることができない。
【００２０】
本実施形態の保護装置Ａでは、制御部３は、通常は信号線２ａ，２ｂの接続をオフとしている。従って、車両本体に取り付けられている一方の疑似データリンクコネクタ１ａに正規の機器を接続したとしても、キー照合システムＢに接続することはできない。
【００２１】
この状態で、操作スイッチ５が操作されると、その操作信号を受けて制御部３が信号線２ａ，２ｂの接続をオフからオンに切り替える。
【００２２】
これにより、一方の疑似データリンクコネクタ１ａと正規のデータリンクコネクタ１１とが、信号線２ａ，２ｂ及び他方の疑似データリンクコネクタ１ｂを介して接続されるので、一方の疑似データリンクコネクタ１ａに正規の機器が接続された場合には、キー照合システムＢは正規の機器を正常に受け付けて、正規の機器との間でデータ通信を行うことができる。
【００２３】
ここで、本実施形態では、信号線２ａ，２ｂの全体をオン、オフ制御する構成としているが、実際には、信号線２ａ，２ｂの中でもデータ通信に必要な信号線のみをオン、オフ制御するように構成してもよい。
【００２４】
また、正規の機器とデータ通信を行う場合とは、例えば車両等のメンテナンスを行う場合や、車両等に何らかの不具合が生じて点検を行う場合等である。従って、その車両等に何の問題もない場合には、正規の機器が接続されてデータ通信を行う必要はない。すなわち、ユーザがその車両を日常使用している場合には、操作スイッチ５が操作されることはない。
【００２５】
そこで、本実施形態の保護装置Ａではこの点に着目し、ユーザがその車両を日常使用している場合には、操作スイッチ５を取り外しておくことができる構成としている。
【００２６】
すなわち、操作スイッチ５に取り付けられた他方のスイッチ用コネクタ４ｂを、車両本体に取り付けられた一方のスイッチ用コネクタ４ａから取り外して別途保管しておくことで、車両本体に取り付けられている一方の疑似データリンクコネクタ１ａと正規のデータリンクコネクタ１１とが接続されることはないので、一方の疑似データリンクコネクタ１ａを介してのキー照合システムＢの内部データ改竄等を未然に防止することができる。
【００２７】
取り外した操作スイッチ５の保管場所としては、車両内のユーザしか分からないどこかに保管しておいてもよいが、車両とは別のところで保管するようにしてもよい。例えば、操作スイッチ５自体は小さいものであるため、ユーザの所持する電子キーと一緒にしておくことで、操作スイッチ５を無くす心配がない。また、操作スイッチ５にストラップ機能を持たせて、ユーザの所有するスマートホン等の携帯端末に取り付けておくようにしてもよい。
【００２８】
以上が、本発明に係る保護装置Ａの基本構成であるが、本発明では、操作スイッチ５を着脱自在とする他に、さらにセキュリティーを高めるための工夫が施されている。以下、その工夫について説明する。
【００２９】
＜工夫１＞
工夫１では、両スイッチ用コネクタ４ａ，４ｂの嵌合構造を、特有の嵌合構造としている。図２（ａ）〜（ｃ）は、特有の嵌合構造の一例を示している。
【００３０】
特有の嵌合構造としては、例えば嵌合部分を、家の鍵穴のような複雑な形状（同図（ａ））や、少し洒落て英文字のような形状（同図（ｂ））等、通常では考えられない特異な形状等とすることが考えられる。
【００３１】
この構成によれば、別の操作スイッチを第三者が別途用意していたとしても、車両本体に取り付けられた一方の（この例では雌型の）スイッチ用コネクタ４ａには嵌合できず、信号線２ａ，２ｂの接続をオンすることができないので、正規のデータリンクコネクタ１１への不正な機器の接続を未然に防止することができる。
【００３２】
また、同図（ｃ）に示すように、嵌合部分を例えば歯車状の形状とし、ユーザにしか分からない任意の組み合わせ位置でのみ適合する（すなわち、操作スイッチとして電気的に機能する）ようにしてもよい。この場合、嵌合に例えば３回失敗した場合（嵌合位置が３回異なった場合）には、その後正規の位置に嵌合されても、そのスイッチ用コネクタ４ａ，４ｂの嵌合を無効とするようにしてもよい。嵌合を無効とするためには、制御部３にスイッチ用コネクタ４ａ，４ｂの嵌合状態を検知する機能を付加しておけばよい。例えば、車両本体に取り付けられる雌型のスイッチ用コネクタ４ａの嵌合凹部内底面等にリミットスイッチ等を設けておき、操作スイッチ５に接続されている他方の（雄型の）スイッチ用コネクタ４ｂが嵌合されたときにリミットスイッチがオンするようにしておけばよい。これにより、制御部３でスイッチ用コネクタ４ａ，４ｂの嵌合回数を計測することができる。また、３回嵌合するまでに操作スイッチ５が操作された場合（例えば、２回目に正規の嵌合が行われて操作スイッチ５が操作された場合等）には、それまでの計数値をリセットするようにしておけばよい。
【００３３】
この構成によれば、仮に正規の操作スイッチ５が第三者に渡ったとしても、嵌合に３回失敗すれば正規の操作スイッチ５でも無効とできるので、セキュリティー性をより高めることができる。なお、嵌合回数は３回に限定されず任意の回数でよい。
【００３４】
＜工夫２＞
工夫２では、操作スイッチ５の操作方法を特殊な操作方法としている。一般にスイッチは、１回押すとオン、もう１回押すとオフ、というのが普通であるが、本発明では、このような単純な操作方法では制御部３が受け付けない構成としている。
【００３５】
すなわち、制御部３側に予め受け付け可能な操作パターンを登録しておき、その操作パターンで操作されたときにのみ、操作スイッチ５の操作を有効と判断する構成としている。この場合、正しく操作されたかどうかをユーザが確認できるように、図３に示すように、操作スイッチ５の押し下げ部分であるボタン部５ａにＬＥＤ等の発光装置を内蔵しておく構成としている。
【００３６】
操作パターンの具体例としては、例えば操作スイッチ５の雄型のスイッチ用コネクタ４ｂを、車両本体に取り付けられている雌型のスイッチ用コネクタ４ａに接続して、所定時間（例えば、３秒等）以上ボタン部５ａを長押しすると、ボタン部５ａに設けられているＬＥＤ等が消灯状態から例えば点滅に切り換わる。そして、この切り換わった状態から一定時間（例えば、１０秒等）以内に所定回数（例えば３回等）ボタン部５ａを押し下げすることで、一定時間経過後にＬＥＤ等が点滅から点灯に切り換わる。ユーザは、ＬＥＤ等が点滅から点灯に切り換わったことで、操作が正しく行われたことを目視により確認することができる。
【００３７】
一方、制御部３は、上記ＬＥＤ等の点滅・点灯制御とともに、この一連の操作を内部に登録されている操作パターンと照合して正規の操作と判断し、信号線２ａ，２ｂの接続をオフからオンに切り替える。従って、これ以降は、一方の疑似データリンクコネクタ１ａに正規の機器を接続することで、正規の機器はキー照合システムＢとの間でデータ通信が可能となる。なお、正規の機器とキー照合システムＢとの間でデータ通信を行って一連の作業を終了した後は、操作スイッチ５のボタン部５ａを例えば１回だけ所定時間（例えば、３秒等）以上長押しすることで、制御部３は、信号線２ａ，２ｂの接続を再びオフに切り替える。このとき、ＬＥＤ等も消灯状態とすることで、ユーザは、消灯状態を確認した後、操作スイッチ５側のスイッチ用コネクタ４ｂを、車両本体に取り付けられたスイッチ用コネクタ４ａから再び取り外して、操作スイッチ５を別途保管すればよい。
【００３８】
なお、上記の操作パターンはほんの一例であり、種々の操作パターンを設定することが可能である。また、一旦設定した操作パターンをユーザ側で適宜設定変更できるようにしておけば、セキュリティー性はさらに向上する。
【００３９】
さらに、上記工夫１の図２（ｃ）の場合と同様に、操作スイッチ５の操作を例えば３回失敗した場合には、その後正しい操作パターンで操作されたとしても、その操作スイッチ５の操作を無効とするようにしてもよい。
【００４０】
この構成によれば、仮に第三者が正規の操作スイッチ５を入手して接続したとしても、単にオン操作するだけでは信号線２ａ，２ｂの接続をオンすることができないので、一方の疑似データリンクコネクタ１ａを介しての正規のデータリンクコネクタ１１への不正な機器の接続を未然に防止することができる。
【００４１】
なお、上記実施形態では、工夫１と工夫２とを別構成として説明しているが、工夫１に工夫２を組み合わせてもよい。これにより、セキュリティー性はさらに向上する。
【００４２】
また、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００４３】
Ａ  保護装置
Ｂ  キー照合システム
１ａ  一方の疑似データリンクコネクタ
１ｂ  他方の疑似データリンクコネクタ
２（２ａ，２ｂ）  信号線
３  制御部
４ａ  スイッチ用コネクタ（一方のスイッチ用コネクタ，雌型のスイッチ用コネクタ）
４ｂ  スイッチ用コネクタ（他方のスイッチ用コネクタ，雄型のスイッチ用コネクタ）
５  操作スイッチ
５ａ  ボタン部
１１  データリンクコネクタ
【図１】
2014102901.tif 000003
【図２】
2014102901.tif 000004
【図３】
2014102901.tif 000005